【手続補正書】
【提出日】平成17年1月28日(2005.1.28)
【手続補正１】
【補正対象書類名】明細書
【補正対象項目名】発明の名称
【補正方法】変更
【補正の内容】
【発明の名称】多元接続システム
【手続補正２】
【補正対象書類名】明細書
【補正対象項目名】特許請求の範囲
【補正方法】変更
【補正の内容】
【特許請求の範囲】
【請求項１】
基地局と複数の端末との間で多元接続を行うことによってデータの送受信を行う多元接続システムであって、
各ユーザの情報を所定の形式に変換して伝送する下りリンクにおける上記基地局は、
所定のビットからなる第１のユーザの第１の情報ビット系列をＭ個の数値からなる第１の符号化系列に変換する第１の変換手段と、
上記第１の変換手段によって変換されて得られた上記第１の符号化系列に対して第１の定数を乗算する第１の乗算手段と、
所定のビットからなる第２のユーザの第２の情報ビット系列をＭ個の数値からなる第２の符号化系列に変換する少なくとも１つの第２の変換手段と、
上記第２の変換手段によって変換されて得られた上記第２の符号化系列に対して第２の定数を乗算する少なくとも１つの第２の乗算手段と、
上記第１の乗算手段によって乗算されて得られた第１の定数倍符号化系列と、上記第２の乗算手段によって乗算されて得られた第２の定数倍符号化系列とを要素毎に加算して加算符号化系列を生成する加算手段と、
上記加算符号化系列を送信信号として送信する送信手段とを備え、
上記基地局によって伝送された上記加算符号化系列に対して所定の雑音が加算された受信信号を受信する上記端末は、それぞれ、
上記受信信号を入力する受信手段と、
上記受信手段から供給された上記受信値に基づいて、上記第１の情報ビット系列又は上記第２の情報ビット系列のうち、少なくとも１つの情報ビット系列に対する復号を行い、必要な情報ビット系列を出力する復号手段とを備えることを特徴とする多元接続システム。
【請求項２】
上記第１の乗算手段は、雑音が加算される通信路を介して上記第１の符号化系列を伝送するものとみなしたとき、上記第１の情報ビット系列を所望のビットエラーレートで伝送するために要求されるエネルギに依存して設定された上記第１の定数を、上記第１の符号化系列に対して乗算し、
上記第２の乗算手段は、上記雑音と、上記第１の定数倍符号化系列と同一の統計的性質を有する系列との和が加算される通信路を介して上記第２の符号化系列を伝送するものとみなしたとき、上記第２の情報ビット系列を所望のビットエラーレートで伝送するために要求されるエネルギに依存して設定された上記第２の定数を、上記第２の符号化系列に対して乗算することを特徴とする請求項１記載の多元接続システム。
【請求項３】
上記第１の乗算手段は、雑音が加算される通信路を介して上記第１の符号化系列を伝送するものとみなしたとき、上記第１の情報ビット系列を所望のビットエラーレートで伝送するために要求されるエネルギに依存して設定された上記第１の定数を、上記第１の符号化系列に対して乗算し、
上記第２の乗算手段は、上記雑音に比して所定量だけ大きい雑音と、上記第１の定数倍符号化系列と同一の統計的性質を有する系列との和が加算される通信路を介して上記第２の符号化系列を伝送するものとみなしたとき、上記第２の情報ビット系列を所望のビットエラーレートで伝送するために要求されるエネルギに依存して設定された上記第２の定数を、上記第２の符号化系列に対して乗算することを特徴とする請求項１記載の多元接続システム。
【請求項４】
上記基地局は、伝送ロスの大きなユーザに対して割り当てた上記第２の符号化系列に対する上記第２の定数として、マージンを多くとるように決定し、伝送ロスの小さなユーザに対して割り当てた上記第１の符号化系列に対する上記第１の定数として、マージンを少なくとるように決定することを特徴とする請求項３記載の多元接続システム。
【請求項５】
上記第１の変換手段は、
上記第１の情報ビット系列に対して所定の符号化を施す第１の符号化手段と、
上記第１の符号化手段によって得られた系列に対して所定の変調方式に基づく信号点のマッピングを行い、Ｍ個の数値からなる上記第１の符号化系列を生成する第１の変調手段とを有し、
上記第２の変換手段は、
上記第２の情報ビット系列に対して所定の符号化を施す第２の符号化手段と、
上記第２の符号化手段によって得られた系列に対して所定の変調方式に基づく信号点のマッピングを行い、Ｍ個の数値からなるからなる上記第２の符号化系列を生成する第２の変調手段とを有することを特徴とする請求項１記載の多元接続システム。
【請求項６】
上記第１の符号化手段及び／又は上記第２の符号化手段は、入力したデータの順序を所定の置換位置情報に基づいて並べ替えるチャネル用のチャネル・インターリーブ手段を有し、
上記第１の変調手段及び／又は上記第２の変調手段は、上記チャネル・インターリーブ手段から供給されたインターリーブデータに対して所定の変調方式に基づく信号点のマッピングを行うことを特徴とする請求項５記載の多元接続システム。
【請求項７】
上記復号手段は、少なくとも出力する情報ビット系列よりも高次の情報ビット系列を変換する変換手段に対応した復号を行うことを特徴とする請求項１記載の多元接続システム。
【請求項８】
上記復号手段は、上記受信値から受信シンボルに関する尤度を算出する尤度算出手段を有することを特徴とする請求項７記載の多元接続システム。
【請求項９】
上記復号手段は、上記加算手段によって最後に加算された最高次の上記第２の情報ビット系列から順次復号を行うことを特徴とする請求項１記載の多元接続システム。
【請求項１０】
上記基地局は、伝送ロスの大きなユーザに対しては、高次の情報ビット系列として割り当てることを特徴とする請求項１記載の多元接続システム。
【請求項１１】
基地局と複数の端末との間で多元接続を行うことによってデータの送受信を行う多元接続システムであって、
情報を所定の形式に変換して伝送する上りリンクにおける上記端末は、それぞれ、
所定のビットからなる情報ビット系列をＭ個の数値からなる符号化系列に変換する変換手段と、
上記変換手段によって変換されて得られた上記符号化系列に対して所定の定数を乗算する乗算手段とを備え、
複数の上記端末のそれぞれによって伝送された定数倍符号化系列が多重化された信号に対して所定の雑音が加算された受信信号を受信する上記基地局は、
上記受信信号を入力する受信手段と、
上記受信手段から供給された上記受信値に基づいて、上記端末のそれぞれに対応する複数の情報ビット系列のうち、少なくとも１つの情報ビット系列に対する復号を行い、必要な情報ビット系列を出力する復号手段とを備えることを特徴とする多元接続システム。
【請求項１２】
低次の情報ビット系列が割り当てられた第１の端末における上記乗算手段は、雑音が加算される通信路を介して符号化系列を伝送するものとみなしたとき、情報ビット系列を所望のビットエラーレートで伝送するために要求されるエネルギに依存して設定された定数を、符号化系列に対して乗算し、
高次の情報ビット系列が割り当てられた第２の端末における上記乗算手段は、上記雑音と、上記第１の端末から伝送された定数倍符号化系列と同一の統計的性質を有する系列との和が加算される通信路を介して符号化系列を伝送するものとみなしたとき、情報ビット系列を所望のビットエラーレートで伝送するために要求されるエネルギに依存して設定された定数を、符号化系列に対して乗算することを特徴とする請求項１１記載の多元接続システム。
【請求項１３】
低次の情報ビット系列が割り当てられた第１の端末における上記乗算手段は、雑音が加算される通信路を介して符号化系列を伝送するものとみなしたとき、情報ビット系列を所望のビットエラーレートで伝送するために要求されるエネルギに依存して設定された定数を、符号化系列に対して乗算し、
高次の情報ビット系列が割り当てられた第２の端末における上記乗算手段は、上記雑音に比して所定量だけ大きい雑音と、上記第１の端末から伝送された定数倍符号化系列と同一の統計的性質を有する系列との和が加算される通信路を介して符号化系列を伝送するものとみなしたとき、情報ビット系列を所望のビットエラーレートで伝送するために要求されるエネルギに依存して設定された定数を、符号化系列に対して乗算することを特徴とする請求項１１記載の多元接続システム。
【請求項１４】
上記端末は、それぞれ、伝送ロスに基づいて送信パワーを制御し、各ユーザ間の送信信号の振幅が適切となるように上記定数を設定することを特徴とする請求項１３記載の多元接続システム。
【請求項１５】
低次の情報ビット系列が割り当てられた第１の端末における上記変換手段は、
情報ビット系列に対して所定の符号化を施す第１の符号化手段と、
上記第１の符号化手段によって得られた系列に対して所定の変調方式に基づく信号点のマッピングを行い、Ｍ個の数値からなる符号化系列を生成する第１の変調手段とを有し、
高次の情報ビット系列が割り当てられた第２の端末における上記変換手段は、
情報ビット系列に対して所定の符号化を施す第２の符号化手段と、
上記第２の符号化手段によって得られた系列に対して所定の変調方式に基づく信号点のマッピングを行い、Ｍ個の数値からなるからなる符号化系列を生成する第２の変調手段とを有することを特徴とする請求項１１記載の多元接続システム。
【請求項１６】
上記第１の符号化手段及び／又は上記第２の符号化手段は、入力したデータの順序を所定の置換位置情報に基づいて並べ替えるチャネル用のチャネル・インターリーブ手段を有し、
上記第１の変調手段及び／又は上記第２の変調手段は、上記チャネル・インターリーブ手段から供給されたインターリーブデータに対して所定の変調方式に基づく信号点のマッピングを行うことを特徴とする請求項１５記載の多元接続システム。
【請求項１７】
上記復号手段は、
低次の情報ビット系列が割り当てられた第１の端末における上記変換手段に対応した復号を行う第１の復号手段と、
高次の情報ビット系列が割り当てられた第２の端末における上記変換手段に対応した復号を行う少なくとも１つの第２の復号手段とを有することを特徴とする請求項１１記載の多元接続システム。
【請求項１８】
上記第１の復号手段及び上記第２の復号手段は、それぞれ、上記受信値から受信シンボルに関する尤度を算出する尤度算出手段を有することを特徴とする請求項１７記載の多元接続システム。
【請求項１９】
上記復号手段は、最高次の情報ビット系列から順次復号を行うことを特徴とする請求項１１記載の多元接続システム。
【請求項２０】
伝送ロスの小さなユーザの上記端末ほど、高次の情報ビット系列として割り当てられることを特徴とする請求項１１記載の多元接続システム。